(57)【要約】      （修正有）【課題】オンスクリーン表示中に、誤ってオンスクリーン映像を録画することを防止する撮像装置を提供する。【解決手段】撮像装置１００は、撮像部１０１からの映像信号に重畳するための撮影関連情報及び録画開始、録画停止情報を生成する生成部１０４と、映像信号に撮影関連情報及び、録画開始または録画停止情報を重畳する映像処理部１０２と、外部の録画機器３００に映像信号を出力する出力部１０５と、録画機器での録画開始指令が入力された場合、録画開始情報を映像処理部により撮影関連情報と一緒に既定時間重畳した後、重畳を中止し、録画機器に対し録画開始指令を出力する制御部１０３を有する。更に、制御部は、録画機器での録画停止指令が入力された場合、録画機器に対し録画停止指令を出力した後、録画停止情報を映像処理部により撮像部からの映像信号に既定時間重畳した後、映像処理部による撮影関連情報を重畳する。【選択図】図１
2018033060.tif 000002
【特許請求の範囲】
【請求項１】
撮像部と、
前記撮像部からの映像信号に重畳するための撮影関連情報、及び、録画開始、録画停止情報を生成する生成部と、
前記映像信号に前記撮影関連情報、及び、前記録画開始、または、前記録画停止情報を重畳する映像処理部と、
外部の録画機器に前記映像処理部からの映像信号を出力する出力部と、
指令信号を入力する指令入力手段と、
前記指令入力手段から前記録画機器での録画開始指令が入力された場合、に基づき前記録画開
始情報を前記映像処理部により前記撮影関連情報と一緒に既定時間重畳した後、前記映像処理
部による前記重畳を中止し、前記録画機器に対し録画開始指令を出力する制御部と、
を有し、
更に、前記制御部は、前記指令入力手段から前記録画機器での録画停止指令が入力された場
合、に基づき前記録画機器に対し録画停止指令を出力した後、前記録画停止情報を前記映像処理部により前記撮像部からの映像信号に既定時間重畳した後、前記映像処理部による前記撮影関連情報を重畳することを特徴とする撮像装置。
【請求項２】
前記生成部で生成される前記録画開始、前記録画停止情報を前記映像信号へ前記重畳する重畳時間を設定する設定手段を有していることを特徴とする請求項１に記載の撮像装置。
【請求項３】
前記生成部で生成される前記撮影関連情報ごとに、録画の可否、及び、録画停止時の前記撮像部からの前記映像信号への重畳可否を設定する設定手段を有し、
前記指令入力手段から前記録画機器での録画開始を指令する指令信号が入力された場合、前記制御部は、前記設定手段で設定された情報に基づいて、前記映像処理部による前記重畳を実施または中止した後に、前記録画機器に対し録画開始指令を出力する、
更に前記指令入力手段から前記録画機器での録画停止を指令する指令信号が入力された場合、前記制御部は、前記録画機器に対し録画停止指令を出力した後、前記設定手段で設定された情報に基づいて、前記映像処理部による前記重畳を実施または中止することを特徴とする請求項１又は２に記載の撮像装置。
【請求項４】
前記指令入力手段は、前記撮像装置に備えられた操作部であることを特徴とする請求項１乃至３のいずれか１項に記載の撮像装置。
【請求項５】
前記指令入力手段は、前記撮像装置と通信可能に接続された外部操作手段であることを特徴とする請求項１乃至３のいずれか１項に記載の撮像装置。
【発明の詳細な説明】
【技術分野】
【０００１】
本発明は、撮像装置に外部記憶装置が接続されたシステムにおいて、オンスクリーン中に誤ってオンスクリーン映像を録画してしまうことを防止するための撮像装置に関するものである。
【背景技術】
【０００２】
一般にテレビ放送局で使用されているテレビカメラは、映像出力のインタフェースとして、ＳＭＰＴＥ(全米映画テレビジョン技術者協会)、ＡＲＩＢ（一般社団法人電波産業会）で規定されているＳＤＩ（シリアルデジタルインターフェース）を採用したカメラが多い。
【０００３】
特許文献１には、ＳＤＩ出力のテレビカメラと映像記録装置を接続して、ＳＤＩの補助データパケットに映像記録装置を制御する制御信号を重畳して、映像記録装置を制御することが開示されている。
【先行技術文献】
【特許文献】
【０００４】
【特許文献１】特許第４２６４６５５号公報
【発明の概要】
【発明が解決しようとする課題】
【０００５】
特許文献１では、テレビカメラ本体の録画開始の操作スイッチを押下すると、ＳＤＩの補助データパケットに映像記録装置の録画を開始する制御信号を重畳して出力する。映像記録装置では、補助データパケットから録画を開始する制御信号を検出し録画を開始する。しかし、テレビカメラが、撮影映像にテレビカメラの操作機能を表示するオンスクリーン表示を行っている場合、誤って録画開始のスイッチが押下されると、オンスクリーン映像が映像記録装置に録画されてしまう。
【０００６】
本発明の目的は、上述の問題点を解消し、オンスクリーン表示中の映像を誤って録画することを防止する撮像装置を提供することにある。
【課題を解決するための手段】
【０００７】
上記目的を達成するための本発明に係る撮像装置は、撮像部からの映像信号に重畳するための撮影関連情報、及び、録画開始、または、録画停止情報を生成する生成部と、
前記映像信号に前記撮影関連情報、及び、前記録画開始、または、前記録画停止情報を重畳する映像処理部と、
外部の録画機器に前記映像処理部からの映像信号を出力する出力部と、
指令信号を入力する指令入力手段と、
前記指令入力手段から前記録画機器での録画開始指令が入力された場合、に基づき前記録画開
始情報を前記映像処理部により前記撮影関連情報と一緒に既定時間重畳した後、前記映像処理
部による前記重畳を中止し、前記録画機器に対し録画開始指令を出力する制御部と、
を有し、
更に、前記制御部は、前記指令入力手段から前記録画機器での録画停止指令が入力された場
合、に基づき前記録画機器に対し録画停止指令を出力した後、前記録画停止情報を前記映像処理部により前記撮像部からの映像信号に既定時間重畳した後、前記映像処理部による前記撮影関連情報を重畳することを特徴とする。
【発明の効果】
【０００８】
本発明に係る撮像装置は、オンスクリーン表示中の映像を誤って録画してしまうことを防止する撮像装置を提供することが出来る。
【図面の簡単な説明】
【０００９】
【図１】実施例１の構成図
【図２】実施例１の補助データパケット構成例
【図３】実施例１のＨＤＭＩ・ベンダー・スペシフィック・インフォフレーム構成例
【図４】（ａ）実施例１の録画開始時のフローチャート、（ｂ）実施例１の録画停止時のフローチャート
【図５】（ａ）実施例１の録画開始表示例、（ｂ）実施例１の録画停止表示例
【図６】（ａ）実施例２のメインメニュ表示例、（ｂ）実施例２のカメラ設定メニュ表示例、（ｃ）実施例２のステータス画面表示例（ｄ）実施例２の日時表示例
【図７】実施例２の個別設定画面の表示例
【図８】（ａ）実施例２の録画開始時のフローチャート、（ｂ）実施例２の録画停止時のフローチャートフローチャート
【発明を実施するための形態】
【００１０】
本発明を図示の実施例に基づいて詳細に説明する。
【００１１】
［実施例１］
図１は、本発明の実施例１に係る撮像装置１００の構成図である。撮像装置１００は、撮像部１０１、映像信号処理部１０２（映像処理部）、ＣＰＵ１０３、オンスクリーン生成部１０４、映像信号出力部１０５、通信部１０７（指令入力手段）、操作部１０８（指令入力手段）から構成されている。また、撮像装置１００は、遠隔で撮像装置１００の操作を行うための外部操作器２００が通信部１０７と所定のケーブルで通信可能に接続されている。更に撮像装置１００から出力される映像信号をモニタ表示及び録画するための外部録画機器３００が同軸ケーブルやＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル等の所定のケーブルで映像信号出力部１０５に接続されている。本実施例では、映像信号出力部が１系統のみ構成されているが、２系統以上の複数で構成されていても構わない。
【００１２】
本発明の撮像装置１００と外部操作器２００、又は、それに加えて、外部録画機器３００を含む構成を、本発明の撮像装置１００の効果を享受する撮像システムとしてもよい。
【００１３】
映像信号処理部１０２は、撮像部１０１からのアナログ信号をデジタル変換し、ゲイン、輝度、色等の所定の画像処理をＣＰＵ１０３（制御部）からの指令信号に応じて調整しデジタル映像信号として映像信号出力部１０５へ出力する。また、映像信号処理部１０２は、撮影映像に撮像装置の操作機能（撮影関連情報）を表示するオンスクリーン表示のためのオンスクリーン情報（以後、ＯＳＤ情報とも記載する）を後述するオンスクリーン生成部１０４から受信する。そして、撮影映像とともに撮像装置１００の操作機能を表示する文字や記号、アイコン等を撮像部１０１からの映像信号と合成（重畳）する。
【００１４】
映像信号出力部１０５は、映像信号処理部１０２からのデジタル映像信号を、ＨＤ−ＳＤＩ、３Ｇ−ＳＤＩ、ＨＤＭＩ信号等の既定のフォーマットに変換して出力する。ＨＤ−ＳＤＩ、３Ｇ−ＳＤＩ信号は、ＳＭＰＴＥ（全米映画テレビジョン技術者協会）、ＡＲＩＢ（登録商標）（一般社団法人電波産業会）で規定されているＳＤＩ（シリアルデジタルインターフェース）規格である。ＨＤＭＩは、映像や音声をデジタル信号で伝送する通信インタフェースの標準規格である。
【００１５】
ＣＰＵ１０３は、撮像部１０１、映像信号処理部１０２、オンスクリーン生成部１０４、映像信号出力部１０５、通信部１０７、操作部１０８と各々接続され、各部の設定や制御を行っている。
【００１６】
オンスクリーン生成部１０４は、操作部１０８、または、外部操作器２００で所定のスイッチ（不図示）を押下すると、ＣＰＵ１０３の制御に基づき、撮像装置１００の操作機能を表示する文字や記号、アイコン等のＯＳＤ情報を生成する。具体的には、ＣＰＵ１０３は、文字、記号、アイコン等のビットマップデータ及びオンスクリーン表示する画面上の表示位置座標データを所定のフォーマットで映像信号処理部１０２へ送信（入力）される。
【００１７】
通信部１０７は、外部操作器２００で撮像装置１００のゲインやシャッター等を操作する指令信号（コマンド）をＲＳ−２３２ＣやＲＳ−４２２等の所定のファーマットで送受信するためのインタフェースである。また、外部操作器２００からの指令信号をＣＰＵ１０３と所定のフォーマットで送受信している。
【００１８】
操作部１０８は、撮像装置１００の操作を行うためのキースイッチや、タッチパネル等である。
【００１９】
次に、外部録画機器３００がどのように録画開始を実行するかについて説明する。操作部１０８、または、外部操作器２００で所定の録画開始スイッチ（不図示）を押下すると、ＣＰＵ１０３は、映像信号出力部１０５へ録画を開始する録画開始コマンド（録画開始指令）を重畳するように指令する。映像信号出力部１０５が、ＳＤＩ信号の場合は、録画開始コマンドをＳＭＰＴＥで規定されているＹ、または、ＣＢ/ＣＲデータ系列の補助データ多重可能領域の後述する（映像データ以外の領域の）所定の位置に重畳する。
【００２０】
映像信号出力部１０５が、ＨＤＭＩ信号の場合は、ＣＥＡ―８６１規格で規定されているＨＤＭＩ・ベンダー・スペシフィック・インフォフレーム（以後、ＶＳＩＦと記述する）の後述する所定の位置に重畳する。
【００２１】
図２に、映像信号出力部１０５がＳＤＩ信号の時の補助データパケット構造を示す。ＡＤＦ（補助データフラグ）、ＤＩＤ（データ識別ワード）、ＳＤＩＤ（第２データ識別ワード）、ＤＣ（データカウントワード）、ＵＤＷ（ユーザデータワード）、ＣＳ（チェックサムワード）から構成されている。ＡＤＦ、ＤＩＤ、ＳＤＩＤは、所定の値となっており、ＵＤＷは、１１ワードで構成している。
【００２２】
本実施例では、図２のように録画開始コマンドをＵＤＷの１１ワード目（以下、ＵＤＷ１０）のビット番号ｂ１を１にすることで、録画開始としている。また、ＵＤＷ１０のｂ１を０にすることで、録画停止としている。尚、本実施例では、ＳＭＰＴＥで規定されている第２形式の補助データパケット構造を使用しているが、第１形式の補助データパケット構造にしても構わない。
【００２３】
外部録画機器３００がＳＤＩ信号を受信する録画機器の場合は、映像信号出力部１０５から出力されるＳＤＩ信号の補助データパケットから、所定のＤＩＤ、ＳＤＩＤを検出し、ＵＤＷ１０のビット番号ｂ１が１の場合、録画を開始するようになっている。一方、ＵＤＷ１０のｂ１が０の場合、録画を停止する。
【００２４】
図３に映像信号出力部１０５が、ＨＤＭＩ信号の場合のＶＳＩＦパケット構造を示す。
ＨＢ０〜ＨＢ２（パケットヘッダ）、ＰＢ０〜ＰＢ２７（パケットボディ）から構成されている。本実施例では、図３のように録画開始コマンドをＰＢ１４  Ｂｙｔｅのビット番号７を１にすることで、録画開始としている。また、ＰＢ１４  Ｂｙｔｅのビット番号７を０にすることで、録画を停止する。
【００２５】
外部録画機器３００がＨＤＭＩ信号を受信する録画機器の場合は、映像信号出力部１０５から出力されるＨＤＭＩ信号のＶＳＩＦパケットから、ＰＢ１４  Ｂｙｔｅのビット番号７が１の場合、録画を開始するようになっている。一方、ＰＢ１４  Ｂｙｔｅのビット番号７が０の場合、録画を停止する。
【００２６】
次に、撮像装置１００がオンスクリーン中にオンスクリーン映像を誤って録画してしまうことを防止するためのフローについて図４（ａ）を用いて説明する。
【００２７】
操作部１０８、または、外部操作器２００から所定の録画開始スイッチが押下されると（ステップＳ１）、撮像装置１００のＣＰＵ１０３に所定の録画開始コマンドを送信する（ステップＳ２）。ＣＰＵ１０３が所定の録画開始コマンドを受信すると（ステップＳ３）、オンスクリーン生成部１０４に図５（ａ）のように録画開始を示すテキスト（ＲＥＣＳＴＡＲＴ）、または、アイコン等を既定時間（本実施例では１秒間）表示する（ステップＳ４）。オンスクリーン表示中は、録画開始を示すテキスト（ＲＥＣ  ＳＴＡＲＴ）を更に追加表示する。その後、ＣＰＵ１０３は、オンスクリーン表示を停止する指令信号を送信する（ステップＳ５）。オンスクリーン生成部１０４は、映像信号処理部１０２に送信していたＯＳＤ情報の送信を停止する（ステップＳ６）。
【００２８】
次に、ＣＰＵ１０３は、映像信号出力部１０５へ録画開始コマンドを重畳するように指令信号を送信する（ステップＳ７）。映像信号出力部１０５が、ＳＤＩ信号を出力する場合は、補助データパケットのＵＤＷ１０のビット番号ｂ１を１にして所定のフォーマットで出力する（ステップＳ８）。最後に外部録画機器３００がＳＤＩ信号を受信する録画機器の場合は、補助データパケットの所定のＤＩＤ、ＳＤＩＤを検出し、ＵＤＷ１０のビット番号ｂ１が、１であるので録画を開始する（ステップＳ９）。映像信号出力部１０５が、ＨＤＭＩ信号を出力する場合は、ＶＳＩＦパケットのＰＢ１４  Ｂｙｔｅのビット番号７を１にして所定のフォーマットで出力する（ステップＳ８）。  外部録画機器３００がＨＤＭＩ信号を受信する録画機器の場合は、ＶＳＩＦパケットのＰＢ１４  Ｂｙｔｅのビット番号７が１であるので録画を開始する（ステップＳ９）。
【００２９】
尚、ステップＳ４は、ユーザーが、録画開始ボタンを確実に押下し、録画が開始されることを認識できるように設けているが、ステップＳ４をなくして、ステップＳ３からステップＳ５へ移行しても構わない。また、録画開始を示すテキスト、または、アイコン等の表示時間は、実施例２で後述する設定メニュで、ユーザーが任意に設定できるようにしても構わない。
【００３０】
次に、撮像装置１００が録画を停止する時のフローについて図４（ｂ）を用いて説明する。
【００３１】
操作部１０８、または、外部操作器２００から所定の録画停止スイッチが押下されると（ステップＳ１１）、撮像装置１００のＣＰＵ１０３に所定の録画停止コマンドを送信する（ステップＳ１２）。ＣＰＵ１０３が所定の録画停止コマンドを受信すると（ステップＳ１３）、ＣＰＵ１０３は、映像信号出力部１０５へ録画停止コマンドを重畳するように指令信号を送信する（ステップＳ１４）。映像信号出力部１０５が、ＳＤＩ信号を出力する場合は、補助データパケットのＵＤＷ１０のビット番号ｂ１を０にして所定のフォーマットで出力する（ステップＳ１５）。外部録画機器３００がＳＤＩ信号を受信する録画機器の場合は、補助データパケットの所定のＤＩＤ、ＳＤＩＤを検出し、ＵＤＷ１０のビット番号ｂ１が、０であるので録画を停止する（ステップＳ１６）。
【００３２】
映像信号出力部１０５が、ＨＤＭＩ信号を出力する場合は、ＶＳＩＦパケットのＰＢ１４  Ｂｙｔｅのビット番号７を０にして所定のフォーマットで出力する（ステップＳ１５）。  外部録画機器３００がＨＤＭＩ信号を受信する録画機器の場合は、ＶＳＩＦパケットのＰＢ１４  Ｂｙｔｅのビット番号７が０であるので録画を停止する（ステップＳ１６）。
【００３３】
次に、オンスクリーン生成部１０４は、映像信号処理部１０２に図５（ｂ）のように録画停止を示すテキスト（ＲＥＣ  ＳＴＯＰ）、または、アイコン等を既定時間（本実施例では１秒間）表示する（ステップＳ１７）。その後、ＣＰＵ１０３は、オンスクリーン生成部１０４に、オンスクリーン表示を命令する（ステップＳ１８）。オンスクリーン生成部１０４は、既定のＯＳＤ情報を送信し（ステップＳ１９） 、オンスクリーンを表示する（ステップＳ２０）。
【００３４】
ステップＳ１７は、ユーザーが、録画停止ボタンを確実に押下し、録画が停止されたことを認識できるように設けているが、ステップＳ１７をなくして、ステップＳ１６からステップＳ１８へ移行しても構わない。または、ステップＳ１８時に、録画停止を示すテキスト（ＲＥＣ ＳＴＯＰ）、または、アイコン等を既定のＯＳＤ情報に含んで一緒に送信するようにしても構わない。更に、録画停止を示すテキスト（ＲＥＣ  ＳＴＯＰ）、または、アイコン等の表示時間は、実施例２で後述する設定メニュで、ユーザーが任意に設定できるようにしても構わない。
【００３５】
以上説明してきたように、撮像装置１００は、オンスクリーン表示中に誤って録画開始コマンドを操作部１０８、または、外部操作器２００から受信しても、オンスクリーン表示を非表示にした後、録画開始コマンドを所定のフォーマットに重畳して出力する。これにより、オンスクリーン表示中の映像を誤って録画することを防止することが可能となる。また、オンスクリーン中に、急遽録画開始が必要となった時、オンスクリーン表示を非表示にするため、操作部１０８、または、外部操作器２００の所定のスイッチを押下してオンスクリーンを非表示にする手間を省くことも可能である。
【００３６】
更に、録画停止ボタンが押下されると、録画が停止され、ＯＳＤ情報が再表示されるため、操作部１０８、または、外部操作器２００の所定のスイッチを押下してオンスクリーンを再表示にする手間も省くことも可能である。
【００３７】
［実施例２］
実施例２は、撮像装置１００がオンスクリーン表示中に操作部１０８、または、外部操作器２００から録画開始コマンドを受信した時、オンスクリーン表示の内容によりオンスクリーン表示の可否を事前かつ個別に設定できる設定メニュ画面を新たに設けている。また、設定メニュ画面内では、録画停止コマンドを受信し、録画停止を行った後のオンスクリーン表示の可否も事前かつ個別に設定できるようになっている。更に、録画開始、及び、録画停止時に録画開始、停止を示すテキスト（ＲＥＣ ＳＴＡＲＴ、ＲＥＣ ＳＴＯＰ）の表示時間も設定できるようになっている。
【００３８】
この点において本実施例は実施例１と異なる。構成は、実施例１の図１と同じなので説明は省略する。
【００３９】
図６（ａ）、（ｂ）、（ｃ）、（ｄ）は、撮影映像にオンスクリーン表示した時の表示例である。（ａ）は、撮像装置１００のメインメニュの表示例である。（ｂ）は、撮像装置１００のカメラ設定メニュの表示例である。（ｃ）は、撮像装置１００の現在の設定状況を表示しているステータス画面の表示例である。（ｄ）は、現在の日時を表示している表示例である。
【００４０】
図７は、個別設定メニュの表示例であり、操作部１０８、または、外部操作器２００から所定のボタンを押下して、録画開始、及び、録画停止コマンドを受信した時、オンスクリーン表示する内容、図６（ａ）、（ｂ）、（ｃ）、（ｄ）の表示例のように、個別に設定できるようになっている。また、録画開始、及び、録画停止時に録画開始、停止を示すテキスト（ＲＥＣ ＳＴＡＲＴ、ＲＥＣ ＳＴＯＰ）の表示時間も設定できるようになっている。
【００４１】
図８（ａ）に本実施例の録画開始時のフローチャートを、図８（ｂ）に、本実施例の録画停止時のフローチャートを示す。ステップＳ２１〜ステップＳ２４、ステップＳ２８〜ステップＳ３０は、実施例１の図４（ａ）フローチャートのステップＳ１〜Ｓ４、ステップＳ７〜ステップＳ９と同じなので説明は省略する。
【００４２】
図８（ａ）のステップＳ２５で、ＣＰＵ１０３は、事前に設定されたオンスクリーン表示する内容ごとの個別設定に従い、オンスクリーン生成部１０４に表示/非表示命令を行う。ステップＳ２６では、オンスクリーン生成部１０４は、表示/非表示するＯＳＤ情報を送信し、オンスクリーン表示させたい内容を個別に表示させている（ステップＳ２７）。
同様に、実施例１の図４（ｂ）フローチャートのステップＳ４１〜ステップＳ４７は、実施例１の図４（ｂ）フローチャートのステップＳ１１〜Ｓ１７と同じなので説明は省略する。
【００４３】
図８（ｂ）のステップＳ４８で、ＣＰＵ１０３は、事前に設定されたオンスクリーン表示する内容ごとの個別設定に従い、オンスクリーン生成部１０４に表示/非表示命令を行う。ステップＳ４９で、オンスクリーン生成部１０４は、表示/非表示するＯＳＤ情報を送信し、オンスクリーン表示させたい内容を個別に表示させている（ステップＳ５０）。
【００４４】
以上説明してきたように実施例２では、撮像装置１００が録画開始コマンドを操作部１０８、または、外部操作器２００から受信した場合、オンスクリーン表示/非表示を事前かつ個別に設定することが可能となる。これにより、オンスクリーン中にオンスクリーン映像を誤って録画開始することを防止することができる。
【００４５】
また、録画停止コマンドを操作部１０８、または、外部操作器２００から受信した場合、録画停止後、オンスクリーン表示/非表示を事前かつ個別に設定することも可能となる。これにより、操作部１０８、または、外部操作器２００の所定のスイッチを押下してオンスクリーンを再表示にする手間を省くことも可能である。
【符号の説明】
【００４６】
１００  撮像装置
１０１  撮像部
１０２  映像信号処理部（映像処理部）
１０３  ＣＰＵ（制御部）
１０４  オンスクリーン生成部（生成部）
１０５  映像信号出力部（出力部）
１０７  通信部（指令入力手段）
１０８  操作部（指令入力手段）
【図１】
2018033060.tif 000003
【図２】
2018033060.tif 000004
【図３】
2018033060.tif 000005
【図４】
2018033060.tif 000006
【図５】
2018033060.tif 000007
【図６】
2018033060.tif 000008
【図７】
2018033060.tif 000009
【図８】
2018033060.tif 000010